(57)【要約】【課題】背もたれに力を加えた状態での前面板の外れを抑制しつつ、メンテナンスの際には、容易に前面板をフレームから取り外すことができるライニングユニットを提供する。【解決手段】前面部と上面部とを有するフレームと、板状の本体部の下部に設けられた貫通孔を有し、下方及び前後方向への移動が規制された状態で前面部の上部に取り付けられる上部前面板と、上部前面板に設けられ使用者の背中を支持する背もたれと、下方及び前後方向への移動が規制された状態で前面部の下部に取り付けられる下部前面板と、フレーム又は下部前面板に設けられ、上部前面板の後方側において貫通孔と対向する位置に配置された固定部と、前方側から貫通孔に挿通され、固定部に着脱可能に取り付けられることにより、上部前面板と固定部とを接合する接合部材と、を備えたことを特徴とするライニングユニットである。【選択図】図１
2019058576.tif 000002
【特許請求の範囲】
【請求項１】
腰掛け式の大便器の後方に設置して使用されるライニングユニットであって、
矩形状の前面部と、矩形状の上面部と、を有するフレームと、
板状の本体部と、前記本体部の下部に設けられた貫通孔と、を有し、前記フレームに対して上方から係合し、下方及び前後方向への移動が規制された状態で前記前面部の上部に取り付けられ、前記前面部の上部の前方を覆う上部前面板と、
前記上部前面板に設けられ、前方を向いて前記大便器に着座した使用者の背中を支持する背もたれと、
前記フレームに対して上方から係合し、下方及び前後方向への移動が規制された状態で前記前面部の下部に取り付けられ、前記前面部の下部の前方を覆う下部前面板と、
前記フレーム又は前記下部前面板に設けられ、前記上部前面板の後方側において前記貫通孔と対向する位置に配置された固定部と、
前方側から前記貫通孔に挿通され、前記固定部に着脱可能に取り付けられることにより、前記上部前面板と前記固定部とを接合する接合部材と、
を備えたことを特徴とするライニングユニット。
【請求項２】
前記固定部は、前記下部前面板に設けられていることを特徴とする請求項１記載のライニングユニット。
【請求項３】
前記下部前面板の上方への移動を規制する規制部材をさらに備えたことを特徴とする請求項２記載のライニングユニット。
【請求項４】
前記貫通孔は、前記背もたれよりも下方、かつ前記大便器よりも上方に配置されていることを特徴とする請求項１〜３のいずれか１つに記載のライニングユニット。
【請求項５】
前記貫通孔は、前記大便器の上に取り付けられる便座装置の上端よりも下方に配置されていることを特徴とする請求項４記載のライニングユニット。
【請求項６】
前記貫通孔は、前記大便器の上に取り付けられる便座装置の幅の間に配置されていることを特徴とする請求項１〜５のいずれか１つに記載のライニングユニット。
【発明の詳細な説明】
【技術分野】
【０００１】
本発明の態様は、一般的に、ライニングユニットに関する。
【背景技術】
【０００２】
腰掛け式の大便器の後方に設置して使用されるライニングユニットがある。ライニングユニットは、例えば、大便器に接続される給水管やタンクなどを覆い隠すことにより、トイレ室の美観を向上させる。ライニングユニットは、例えば、略矩形の枠状のフレームと、フレームの前方に覆う前面板と、フレームの上方を覆う天板と、を備える。
【０００３】
前面板は、ネジなどの固定部材を用いることなく、係合によってフレームに取り付けられる。これにより、メンテナンスの際などに、前面板を比較的容易に取り外すことができるとともに、固定部材などが外部に露出することが無く、ライニングユニットの美観を向上させることができる。
【０００４】
また、こうしたライニングユニットにおいて、大便器に腰掛けた使用者の背中を支持する背もたれを、前面板に設けることも提案されている（例えば、特許文献１）。これにより、ライニングユニットに背を向けた適切な向きで着座した使用者が、背もたれに寄りかかって用を足すことができる。
【０００５】
しかしながら、ライニングユニット側を向いた逆の向きで用を足す使用者も少なくない。このような場合に、使用者が背もたれを掴んで力を入れ、フレームと前面板との係合を解除してしまい、不意に前面板をフレームから外してしまう可能性があった。前面板の不意の外れは、逆向きに腰掛けた使用者の転倒などの要因となってしまう恐れがある。
【０００６】
反面、前面板の不意の外れを抑制するために、前面板をフレームに厳密に固定してしまうと、メンテナンスの際などに、前面板の取り外しに手間がかかってしまう。このため、ライニングユニットでは、背もたれに力を加えた状態での前面板の外れを抑制しつつ、メンテナンスの際には、容易に前面板をフレームから取り外せるようにすることが望まれる。
【先行技術文献】
【特許文献】
【０００７】
【特許文献１】特開２０１２−１６２９４８号公報
【発明の概要】
【発明が解決しようとする課題】
【０００８】
本発明は、かかる課題の認識に基づいてなされたものであり、背もたれに力を加えた状態での前面板の外れを抑制しつつ、メンテナンスの際には、容易に前面板をフレームから取り外すことができるライニングユニットを提供することを目的とする。
【課題を解決するための手段】
【０００９】
第１の発明は、腰掛け式の大便器の後方に設置して使用されるライニングユニットであって、矩形状の前面部と矩形状の上面部とを有するフレームと、板状の本体部と、前記本体部の下部に設けられた貫通孔と、を有し、前記フレームに対して上方から係合し、下方及び前後方向への移動が規制された状態で前記前面部の上部に取り付けられ、前記前面部の上部の前方を覆う上部前面板と、前記上部前面板に設けられ、前方を向いて前記大便器に着座した使用者の背中を支持する背もたれと、前記フレームに対して上方から係合し、下方及び前後方向への移動が規制された状態で前記前面部の下部に取り付けられ、前記前面部の下部の前方を覆う下部前面板と、前記フレーム又は前記下部前面板に設けられ、前記上部前面板の後方側において前記貫通孔と対向する位置に配置された固定部と、前方側から前記貫通孔に挿通され、前記固定部に着脱可能に取り付けられることにより、前記上部前面板と前記固定部とを接合する接合部材と、を備えたことを特徴とするライニングユニットである。
【００１０】
このライニングユニットによれば、接合部材が上部前面板と固定部とを接合することにより、上部前面板の上方への移動が抑制される。これにより、背もたれに力が加えられたとしても、上部前面板のフレームからの外れを抑制することができる。そして、メンテナンスの際には、固定部に着脱可能に取り付けられた接合部材を、上部前面板の前方側から取り外す。これにより、上部前面板のフレームからの取り外しが可能になる。このように、前方側から接合部材を取り外すだけで、容易に上部前面板の取り外しが可能になる。従って、背もたれに力を加えた状態での上部前面板の外れを抑制しつつ、メンテナンスの際には、容易に上部前面板をフレームから取り外すことができるライニングユニットを提供することができる。
【００１１】
第２の発明は、第１の発明において、前記固定部は、前記下部前面板に設けられていることを特徴とするライニングユニットである。
【００１２】
フレームに固定部を設ける場合には、貫通孔と対向する位置に固定部を配置するために、フレームに余計な橋渡し部材などを設けなければならなくなり、部品点数の増加を招いてしまう。また、橋渡し部材が、大便器への給水管の接続の際やメンテナンスの際などに邪魔になり、使い勝手の低下を招いてしまう可能性も生じる。このライニングユニットによれば、固定部を下部前面板に設けることにより、フレームに固定部を設ける場合と比べて、上記のようなフレームの部品点数の増加や使い勝手の低下を抑制することができる。
【００１３】
第３の発明は、第２の発明において、前記下部前面板の上方への移動を規制する規制部材をさらに備えたことを特徴とするライニングユニットである。
【００１４】
このライニングユニットによれば、上部前面板が接合部材及び固定部を介して下部前面板と接合された状態において、上部前面板と下部前面板とが共に上方に移動し、フレームとの係合状態が解除されてしまうことを抑制することができる。従って、背もたれに力が加えられた際の、上部前面板のフレームからの外れをより適切に抑制することができる。
【００１５】
第４の発明は、第１〜第３のいずれか１つの発明において、前記貫通孔は、前記背もたれよりも下方、かつ前記大便器よりも上方に配置されていることを特徴とするライニングユニットである。
【００１６】
このライニングユニットによれば、背もたれよりも下方かつ大便器よりも上方に貫通孔を配置することにより、背もたれに隠れる位置に貫通孔及び接合部材を配置する場合などと比べて、接合部材の取り外しをし易くすることができる。また、後方側を向いて起立した使用者から見て、貫通孔及び接合部材が、背もたれなどに隠れやすくなる。従って、貫通孔及び接合部材を設けた場合にも、ライニングユニットの見栄えを良くすることができる。
【００１７】
第５の発明は、第４の発明において、前記貫通孔は、前記大便器の上に取り付けられる便座装置の上端よりも下方に配置されていることを特徴とするライニングユニットである。
【００１８】
このライニングユニットによれば、後方側を向いて起立した使用者から見て、貫通孔及び接合部材が、便座装置に隠れやすくなり、ライニングユニットの見栄えをより良くすることができる。
【００１９】
第６の発明は、第１〜第５のいずれか１つの発明において、前記貫通孔は、前記大便器の上に取り付けられる便座装置の幅の間に配置されていることを特徴とするライニングユニットである。
【００２０】
このライニングユニットによれば、後方側を向いて起立した使用者から見て、貫通孔及び接合部材が、便座装置に隠れやすくなり、ライニングユニットの見栄えをより良くすることができる。
【発明の効果】
【００２１】
本発明の態様によれば、背もたれに力を加えた状態での前面板の外れを抑制しつつ、メンテナンスの際には、容易に前面板をフレームから取り外すことができるライニングユニットが提供される。
【図面の簡単な説明】
【００２２】
【図１】実施形態に係るトイレユニットを表す正面図である。
【図２】実施形態に係るライニングユニットを表す分解斜視図である。
【図３】実施形態に係るライニングユニットの一部を表す部分断面図である。
【図４】上部前面板及び下部前面板の背面を表す背面図である。
【図５】実施形態に係るライニングユニットの一部を表す部分断面図である。
【図６】実施形態に係るライニングユニットの変形例を表す斜視図である。
【発明を実施するための形態】
【００２３】
以下、本発明の実施の形態について図面を参照しつつ説明する。なお、各図面中、同様の構成要素には同一の符号を付して詳細な説明は適宜省略する。
【００２４】
図１は、実施形態に係るトイレユニットを表す正面図である。  
図１に表したように、トイレユニット２は、大便器４と、衛生洗浄装置６（便座装置）と、ライニングユニット１０と、を備える。大便器４は、使用者が腰掛けた状態で用を足すことができる腰掛け式の便器である。大便器４は、換言すれば、洋式腰掛便器である。
【００２５】
衛生洗浄装置６は、大便器４の上に取り付けられる。衛生洗浄装置６は、大便器４の上に載置される便座を有する。衛生洗浄装置６は、便座を介して大便器４に腰掛けた使用者の「おしり」などの局部を洗浄する局部洗浄機能を有する。この例では、大便器４の上に取り付けられる便座装置の一例として、衛生洗浄装置６を表している。便座装置は、これに限ることなく、例えば、便座を温める暖房機能を有する暖房便座装置や、衛生洗浄機能や暖房機能などの機能を有しない普通便座等でもよい。便座装置は、少なくとも使用者が着座可能な便座を有する任意の装置でよい。
【００２６】
衛生洗浄装置６は、例えば、装置本体と、装置本体を大便器４に着脱可能に取り付ける本体着脱機構と、を有する。装置本体は、例えば、所定の操作を行って前方にスライドさせることにより、大便器４から取り外すことができる。
【００２７】
ライニングユニット１０は、大便器４の後方に設置して使用される。ライニングユニット１０は、大便器４に接続される給水管やタンクなどを覆い隠すことにより、トイレ室（トイレブース）の美観を向上させる。また、ライニングユニット１０は、例えば、大便器４を支持する支持機構を覆い隠す。大便器４は、ライニングユニット１０の前面に取り付けられる、いわゆる壁掛け式の便器である。大便器４は、壁掛け式に限ることなく、床置き式の便器でもよい。
【００２８】
ここで、本願明細書においては、ライニングユニット１０に背を向けて大便器４に腰掛けた使用者からみた上方、下方、前方、後方、右側方、及び左側方を、それぞれ「上方」、「下方」、「前方」、「後方」、「右側方」、及び「左側方」とする。
【００２９】
図２は、実施形態に係るライニングユニットを表す分解斜視図である。  
図２に表したように、ライニングユニット１０は、フレーム１２と、上部前面板１４と、背もたれ１６と、下部前面板１８と、固定部２０と、接合部材２２と、天板２４と、を備える。
【００３０】
フレーム１２は、例えば、上下方向に延びる複数の柱部材３０と、左右方向に延びる複数の第１梁部材３１と、前後方向に延びる複数の第２梁部材３２と、を有する。フレーム１２は、各柱部材３０、各第１梁部材３１、及び各第２梁部材３２を組み合わせることにより、略矩形の枠状の前面部３４と、略矩形の枠状の上面部３６と、を形成する。このように、フレーム１２は、矩形状の前面部３４と、矩形状の上面部３６と、を有する。
【００３１】
フレーム１２は、トイレ室の床面及び壁面に固定される。ライニングユニット１０は、トイレ室の壁面に隣接して略矩形の箱状に設けられ、内部の空間に給水管やタンクなどを収納可能とする。ライニングユニット１０は、例えば、開閉可能な扉などを設けることにより、内部の空間にトイレットペーパーなどの物品を収納可能としてもよい。
【００３２】
上部前面板１４は、板状の本体部４０と、本体部４０の下部に設けられた貫通孔４０ａと、を有する。上部前面板１４は、フレーム１２に対して上方から係合し、下方及び前後方向への移動が規制された状態で、前面部３４の上部に取り付けられる。これにより、上部前面板１４は、前面部３４の上部の前方を覆う。
【００３３】
背もたれ１６は、上部前面板１４に設けられる。背もたれ１６は、板状の本体部４０の前面に取り付けられる。これにより、背もたれ１６は、前方を向いて大便器４に着座した使用者の背中を支持可能とする。
【００３４】
背もたれ１６は、例えば、使用者の背中を支持する支持部１６ａと、支持部１６ａを上部前面板１４に取り付ける一対の取付部１６ｂと、を有する。各取付部１６ｂは、例えば、支持部１６ａから後方に向かって延びる。背もたれ１６は、例えば、各取付部１６ｂを介して上部前面板１４にネジ止めされることにより、上部前面板１４に取り付けられる。なお、各取付部１６ｂの数は、２つに限ることなく、１つでもよいし、３つ以上でもよい。
【００３５】
下部前面板１８は、フレーム１２に対して上方から係合し、下方及び前後方向への移動が規制された状態で、前面部３４の下部に取り付けられる。これにより、下部前面板１８は、前面部３４の下部の前方を覆う。
【００３６】
下部前面板１８は、開口１８ａを有する。開口１８ａは、大便器４に接続される給水管や排水管の挿通に用いられる。開口１８ａは、図１に表したように、大便器４がライニングユニット１０の前面に取り付けられた状態において、大便器４によって塞がれる。
【００３７】
天板２４は、上面部３６の上に取り付けられ、上面部３６の上方を覆う。これにより、天板２４は、上部前面板１４及び下部前面板１８とともに、フレーム１２の内部の空間が、外部に露出してしまうことを抑制する。
【００３８】
図３は、実施形態に係るライニングユニットの一部を表す部分断面図である。  
図２及び図３に表したように、固定部２０は、下部前面板１８に設けられている。固定部２０は、上部前面板１４の後方側において貫通孔４０ａと対向する位置に配置され、上部前面板１４の固定に用いられる。
【００３９】
接合部材２２は、前方側から貫通孔４０ａに挿通され、固定部２０に着脱可能に取り付けられることにより、上部前面板１４と固定部２０とを接合する。換言すれば、接合部材２２は、上部前面板１４と下部前面板１８とを接合する。
【００４０】
接合部材２２は、例えば、摘み部２２ａと、雄ネジ部２２ｂと、を有する、いわゆるローレットネジである。固定部２０は、ローレットネジである接合部材２２の雄ネジ部２２ｂに対応する雌ネジ部２０ａを有する。接合部材２２は、雄ネジ部２２ｂを固定部２０の雌ネジ部２０ａに噛合させることにより、固定部２０に着脱可能に取り付けられる。
【００４１】
このように、接合部材２２にローレットネジを用いることにより、工具などを必要とすることなく、接合部材２２の着脱を容易に行うことができる。但し、接合部材２２は、ローレットネジに限ることなく、例えば、蝶ネジや、ドライバなどの工具を用いて着脱する通常のネジなどでもよい。接合部材２２は、例えば、貫通孔４０ａに挿通して回転させることにより、固定部２０と係合して取り付けられる鍵状の部材などでもよい。接合部材２２は、固定部２０に着脱可能に取り付けられ、上部前面板１４と固定部２０とを接合可能な任意の部材でよい。
【００４２】
図１に表したように、貫通孔４０ａは、背もたれ１６よりも下方、かつ大便器４よりも上方に配置される。より詳しくは、貫通孔４０ａは、背もたれ１６の下端１６ｃよりも下方、かつ大便器４の上端４ａよりも上方に配置される。この例において、貫通孔４０ａは、衛生洗浄装置６の上端６ａよりも下方に配置される。
【００４３】
また、貫通孔４０ａは、衛生洗浄装置６の左右方向の幅Ｗ１の間に配置される。すなわち、貫通孔４０ａは、衛生洗浄装置６の後方に配置され、前後方向において衛生洗浄装置６によって覆われる。これにより、貫通孔４０ａ及び接合部材２２が使用者などに視認されてしまうことを抑制し、ライニングユニット１０の見栄えを向上させることができる。接合部材２２を取り外す場合には、本体着脱機構を利用して衛生洗浄装置６の装置本体を大便器４から取り外す。これにより、接合部材２２が前方に露出し、接合部材２２を容易に取り外すことが可能になる。
【００４４】
なお、衛生洗浄装置６が、側方に突出する、いわゆる袖リモコンを有する場合、衛生洗浄装置６の左右方向の幅Ｗ１は、袖リモコンを含むものとする。例えば、貫通孔４０ａは、袖リモコンの後方に配置してもよい。
【００４５】
この例において、貫通孔４０ａは、背もたれ１６の各取付部１６ｂの左右方向の幅Ｗ２の間に配置されている。貫通孔４０ａは、例えば、前方から見た状態において、背もたれ１６の左右方向の中央ＣＬと重なる位置に配置される。背もたれ１６は、前方を向いて大便器４に着座した使用者の背中を支持するためのものである。従って、背もたれ１６の左右方向の中央ＣＬは、大便器４の左右方向の中央と実質的に同じである。また、図１に表したように、衛生洗浄装置６が袖リモコンを含まない場合、背もたれ１６の左右方向の中央ＣＬは、衛生洗浄装置６の左右方向の中央と実質的に同じである。
【００４６】
図４は、上部前面板及び下部前面板の背面を表す背面図である。  
図４に表したように、上部前面板１４の背面には、フレーム１２に係合する一対の上部係合部５０及び一対の下部係合部５２が設けられている。同様に、下部前面板１８の背面には、フレーム１２に係合する一対の上部係合部５４及び一対の下部係合部５６が設けられている。
【００４７】
フレーム１２の前面部３４には、上部前面板１４の一対の上部係合部５０と係合する一対の上部被係合部６０と、上部前面板１４の一対の下部係合部５２と係合する一対の下部被係合部６２と、下部前面板１８の一対の上部係合部５４と係合する一対の上部被係合部６４と、下部前面板１８の一対の下部係合部５６と係合する一対の下部被係合部６６と、が設けられている（図２参照）。
【００４８】
上部前面板１４は、各上部係合部５０を各上部被係合部６０に係合させ、各下部係合部５２を各下部被係合部６２に係合させることにより、フレーム１２に取り付けられる。下部前面板１８は、各上部係合部５４を各上部被係合部６４に係合させ、各下部係合部５６を各下部被係合部６６に係合させることにより、フレーム１２に取り付けられる。
【００４９】
図５は、実施形態に係るライニングユニットの一部を表す部分断面図である。  
図５に表したように、フレーム１２の上部被係合部６４は、前方に向かって延びる第１延在部６４ａと、第１延在部６４ａの前端から上方に向かって延びる第２延在部６４ｂと、を有する。すなわち、上部被係合部６４は、略Ｕ字状に折り曲げられたフック状である。
【００５０】
下部前面板１８の上部係合部５４は、フック部５４ａと、突出部５４ｂと、雌ネジ部５４ｃと、調整ネジ５４ｄと、を有する。フック部５４ａは、上部被係合部６４の第２延在部６４ｂに上方から係合する。これにより、フック部５４ａは、下部前面板１８の前後方向への移動を規制する。
【００５１】
突出部５４ｂは、後方に向かって延び、フック部５４ａと第２延在部６４ｂとが係合した状態において、上部被係合部６４の第１延在部６４ａの上方に配置される。雌ネジ部５４ｃは、突出部５４ｂに設けられ、フック部５４ａと第２延在部６４ｂとが係合した状態において、上部被係合部６４の第１延在部６４ａと対向する。調整ネジ５４ｄは、雌ネジ部５４ｃに取り付けられる。調整ネジ５４ｄの下端は、フック部５４ａと第２延在部６４ｂとが係合した状態において、上部被係合部６４の第１延在部６４ａに当接する。これにより、調整ネジ５４ｄは、下部前面板１８の下方への移動を規制する。
【００５２】
このように、フック部５４ａを第２延在部６４ｂに係合させ、調整ネジ５４ｄの下端を第１延在部６４ａに当接させる。これにより、前述のように、フレーム１２に対して上方から係合し、下方及び前後方向への移動が規制された状態で、下部前面板１８を前面部３４の下部に取り付けることができる。また、下部前面板１８では、調整ネジ５４ｄを回転させて雌ネジ部５４ｃから下方に突き出た部分の長さを調整することにより、下部前面板１８の上下方向の位置を調整することができる。
【００５３】
下部前面板１８の下部係合部５６、上部前面板１４の上部係合部５０、及び上部前面板１４の下部係合部５２のそれぞれの構成は、下部前面板１８の上部係合部５４の構成と実質的に同じであるから、詳細な説明は省略する。
【００５４】
なお、下部係合部５２、５６には、上部係合部５０、５４と同様に、調整ネジ５４ｄを設けてもよいし、図５に表した下部係合部５２のように、調整ネジ５４ｄを省略してもよい。すなわち、下方への移動の規制、及び上下方向の位置の調整は、上部係合部５０、５４のみで行ってもよい。
【００５５】
図５に表したように、ライニングユニット１０は、規制部材７０をさらに備える。規制部材７０は、下部前面板１８の上方への移動を規制する。規制部材７０は、例えば、フレーム１２の前面部３４に設けられる。規制部材７０は、下部前面板１８の上部係合部５４の調整ネジ５４ｄの上方に配置され、調整ネジ５４ｄの上端と当接することにより、下部前面板１８の上方への移動を規制する。
【００５６】
規制部材７０は、例えば、下部前面板１８をフレーム１２に取り付け、調整ネジ５４ｄで下部前面板１８の上下方向の位置を調整した後に、フレーム１２に取り付けられる。これにより、下部前面板１８の上方への移動が規制される。
【００５７】
規制部材７０の構成は、上記の構成に限定されるものではない。規制部材７０は、例えば、下部前面板１８をフレーム１２に固定するネジなどでもよい。規制部材７０の構成は、下部前面板１８の上方への移動を規制可能な任意の構成でよい。
【００５８】
但し、上記のように、調整ネジ５４ｄの上端と当接する構成とすることにより、例えば、規制部材７０を上部前面板１４及び下部前面板１８で覆い隠すことができる。規制部材７０が外部に露出することを抑制し、ライニングユニット１０の見栄えを低下させることなく、下部前面板１８の上方への移動を規制することができる。
【００５９】
本実施形態に係るライニングユニット１０において、内部に収納されたタンクなどをメンテナンスする場合には、まず、衛生洗浄装置６の装置本体を大便器４から取り外し、接合部材２２を前方に露出させる。この後、接合部材２２を取り外して、上部前面板１４と固定部２０との接合状態を解除する。これにより、上部前面板１４の上方への移動が可能となる。各上部係合部５０及び各下部係合部５２の係合状態を解除することが可能となる。従って、上部前面板１４をフレーム１２から取り外すことができる。上部前面板１４をフレーム１２から取り外すと、フレーム１２の内部空間が前方に露出する。これにより、フレーム１２の内部に収納されたタンクなどに前方側からアクセスすることが可能となり、タンクなどのメンテナスを行うことができる。
【００６０】
このように、本実施形態に係るライニングユニット１０では、接合部材２２が上部前面板１４と固定部２０とを接合することにより、上部前面板１４の上方への移動が抑制される。これにより、背もたれ１６に力が加えられたとしても、上部前面板１４のフレーム１２からの外れを抑制することができる。そして、メンテナンスの際には、固定部２０に着脱可能に取り付けられた接合部材２２を、上部前面板１４の前方側から取り外す。これにより、上部前面板１４のフレーム１２からの取り外しが可能になる。また、この際、接合部材２２をローレットネジとすることで、工具などを用いる必要がなく、より容易に接合部材２２を取り外すことができる。
【００６１】
このように、前方側から接合部材２２を取り外すだけで、容易に上部前面板１４の取り外しが可能になる。従って、背もたれ１６に力を加えた状態での上部前面板１４の外れを抑制しつつ、メンテナンスの際には、容易に上部前面板１４をフレーム１２から取り外すことができるライニングユニット１０を提供することができる。
【００６２】
上記実施形態において、ライニングユニット１０は、１つの貫通孔４０ａと、１つの接合部材２２と、を備えている。ライニングユニット１０は、複数の貫通孔４０ａと、複数の接合部材２２と、を備えてもよい。
【００６３】
ライニングユニット１０では、メンテナンスを行う際に、天板２４を取り外す必要がない。従って、天板２４とトイレ室の壁面との間に空く隙間をコーキング材などで埋めることが可能となる。これにより、天板２４とトイレ室の壁面との間に空く隙間から、水や紙などがフレーム１２の内部に入り込んでしまうことを抑制することができる。換言すれば、ライニングユニット１０では、天板２４の周囲の隙間をコーキング材などで埋めたとしても、メンテナンスの際などに、天板２４の周囲のコーキング材などを逐一取り外す手間を省くことができる。
【００６４】
また、ライニングユニット１０は、下部前面板１８の上方への移動を規制する規制部材７０を備えている。これにより、上部前面板１４が接合部材２２及び固定部２０を介して下部前面板１８と接合された状態において、上部前面板１４と下部前面板１８とが共に上方に移動し、フレーム１２との係合状態が解除されてしまうことを抑制することができる。従って、背もたれ１６に力が加えられた際の、上部前面板１４のフレーム１２からの外れをより適切に抑制することができる。
【００６５】
また、ライニングユニット１０では、貫通孔４０ａが、背もたれ１６よりも下方、かつ大便器４よりも上方に配置されている。これにより、背もたれ１６に隠れる位置に貫通孔４０ａ及び接合部材２２を配置する場合などと比べて、接合部材２２の取り外しをし易くすることができる。また、後方側を向いて起立した使用者から見て、貫通孔４０ａ及び接合部材２２が、背もたれ１６などに隠れやすくなる。従って、貫通孔４０ａ及び接合部材２２を設けた場合にも、ライニングユニット１０の見栄えを良くすることができる。
【００６６】
また、ライニングユニット１０では、貫通孔４０ａが、大便器４の上に取り付けられる衛生洗浄装置６の上端６ａよりも下方に配置されている。これにより、後方側を向いて起立した使用者から見て、貫通孔４０ａ及び接合部材２２が、衛生洗浄装置６に隠れやすくなり、ライニングユニット１０の見栄えをより良くすることができる。
【００６７】
また、ライニングユニット１０では、貫通孔４０ａが、衛生洗浄装置６の幅Ｗ１の間に配置されている。これにより、後方側を向いて起立した使用者から見て、貫通孔４０ａ及び接合部材２２が、衛生洗浄装置６に隠れやすくなり、ライニングユニット１０の見栄えをより良くすることができる。
【００６８】
ライニングユニット１０では、貫通孔４０ａが、背もたれ１６の各取付部１６ｂの左右方向の幅Ｗ２の間に配置されている。これにより、背もたれ１６に加えられた力に対し、上部前面板１４、固定部２０、及び接合部材２２などの強度を高めることができる。例えば、貫通孔４０ａが幅Ｗ２よりも左右方向の外側に位置している場合、背もたれ１６に力が加えられた際に、貫通孔４０ａの部分を軸に捩れるような力が、上部前面板１４などに加わってしまう。貫通孔４０ａを幅Ｗ２の間に配置することにより、このような力が上部前面板１４などに加わることを抑制し、上部前面板１４などの強度を高めることができる。
【００６９】
そして、背もたれ１６の左右方向の中央ＣＬと重なる位置に貫通孔４０ａを配置する。これにより、背もたれ１６に加えられた力に対し、上部前面板１４、固定部２０、及び接合部材２２などの強度をより高めることができる。
【００７０】
図６は、実施形態に係るライニングユニットの変形例を表す斜視図である。  
なお、上記実施形態と機能・構成上実質的に同じものについては、同符号を付し、詳細な説明は省略する。  
図６に表したように、この例では、固定部２０が、フレーム１２ａに設けられている。フレーム１２ａは、橋渡し部材３８をさらに有する。橋渡し部材３８は、前面部３４に設けられる。橋渡し部材３８は、左右方向に延び、一対の柱部材３０の間を連結する。固定部２０は、この橋渡し部材３８に設けられている。
【００７１】
橋渡し部材３８の構成は、上記に限定されるものではない。橋渡し部材３８は、例えば、上下方向に延び、一対の第１梁部材３１の間を連結する構成などでもよい。橋渡し部材３８の構成は、前面部３４に設けられ、貫通孔４０ａと対向する位置に固定部２０を配置可能な任意の構成でよい。
【００７２】
このように、固定部２０は、フレーム１２ａに設けてもよい。この場合にも、上記実施形態と同様に、背もたれ１６に力を加えた状態での上部前面板１４の外れを抑制しつつ、メンテナンスの際には、容易に上部前面板１４をフレーム１２ａから取り外すことができる。また、固定部２０をフレーム１２ａに設けた場合には、規制部材７０を必要とすることなく、上部前面板１４の上方への移動を適切に抑制することができる。
【００７３】
一方、フレーム１２ａに固定部２０を設ける場合には、貫通孔４０ａと対向する位置に固定部２０を配置するために、フレーム１２ａに橋渡し部材３８などを設けなければならなくなり、部品点数の増加を招いてしまう。また、橋渡し部材３８が、大便器４への給水管の接続の際やメンテナンスの際などに邪魔になり、使い勝手の低下を招いてしまう可能性も生じる。上記実施形態に表したように、固定部２０を下部前面板１８に設けた場合には、フレーム１２ａに固定部２０を設ける場合と比べて、上記のようなフレーム１２ａの部品点数の増加や使い勝手の低下を抑制することができる。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレユニット２、ライニングユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
２ トイレユニット、  ４ 大便器、  ６ 衛生洗浄装置（便座装置）、  １０ ライニングユニット、  １２、１２ａ フレーム、  １４ 上部前面板、  １６ 背もたれ、  １８ 下部前面板、  ２０ 固定部、  ２２ 接合部材、  ２４ 天板、  ３０ 柱部材、  ３１ 第１梁部材、  ３２ 第２梁部材、  ３４ 前面部、  ３６ 上面部、  ３８ 橋渡し部材、  ４０ 本体部、  ４０ａ 貫通孔、  ５０ 上部係合部、  ５２ 下部係合部、  ５４ 上部係合部、  ５６ 下部係合部、  ６０ 上部被係合部、  ６２ 下部被係合部、  ６４ 上部被係合部、  ６６ 下部被係合部、  ７０ 規制部材
【図１】
2019058576.tif 000003
【図２】
2019058576.tif 000004
【図３】
2019058576.tif 000005
【図４】
2019058576.tif 000006
【図５】
2019058576.tif 000007
【図６】
2019058576.tif 000008